(57)【要約】【課題】記録媒体に録画した番組を再生する際の利便性を高めた放送受信装置およびそのような利便性を高めることを可能にする番組一覧表示方法を提供する。【解決手段】デジタル放送受信装置１１は、デジタル放送の放送信号を選択して受信するチューナと、そのチューナが放送信号を受信して得られる映像データを記録媒体に記録させる記録制御手段と、記録媒体に記録されている映像データを用いて映像信号を再生する映像再生手段と、記録媒体に記録されている映像データのうち、自装置のチューナが放送信号を受信して得た自装置映像データのみを選択する映像データ選択手段と、その映像データ選択手段により選択された自装置映像データに対応した番組一覧を表示させる表示制御手段とを有している。【選択図】図３
2009060257.tif 000002
【特許請求の範囲】
【請求項１】
デジタル放送の放送信号を選択して受信するチューナと、
該チューナが前記放送信号を受信して得られる映像データを記録媒体に記録させる記録制御手段と、
前記記録媒体に記録されている映像データを用いて映像信号を再生する映像再生手段と、
前記記録媒体に記録されている映像データのうち、自装置の前記チューナが前記放送信号を受信して得た自装置映像データのみを選択する映像データ選択手段と、
該映像データ選択手段により選択された前記自装置映像データに対応した番組一覧を表示させる表示制御手段とを有することを特徴とする放送受信装置。
【請求項２】
デジタル放送の放送信号を選択して受信するチューナと、
該チューナが前記放送信号を受信して得られる映像データを記録媒体に記録させる記録制御手段と、
前記記録媒体に記録されている映像データを用いて映像信号を再生する映像再生手段と、
前記記録媒体に記録されている映像データに対応した番組一覧を表示させるときに、自装置の前記チューナが前記放送信号を受信して得た自装置映像データに対応した番組明細と、前記自装置映像データ以外の他装置映像データに対応した番組明細とを区別して表示させる表示制御手段とを有することを特徴とする放送受信装置。
【請求項３】
前記記録制御手段は、自装置の前記チューナが前記放送信号を受信したのか他装置の前記チューナが前記放送信号を受信したのかを識別するための識別コードを含めて前記映像データを前記記録媒体に記録させることを特徴とする請求項１または２記載の放送受信装置。
【請求項４】
前記映像データ選択手段は、前記映像データに付随している付属データにしたがい、前記自装置映像データのみを選択することを特徴とする請求項１記載の放送受信装置。
【請求項５】
前記映像再生手段は、前記チューナが前記放送信号を受信して得られる映像データを用いて映像を表示する映像表示手段を有することを特徴とする請求項１〜４のいずれか一項記載の放送受信装置。
【請求項６】
デジタル放送の放送信号を選択して受信するチューナと、該チューナが前記放送信号を受信して得られる映像データを記録媒体に記録させる記録制御手段と、前記記録媒体に記録されている映像データを用いて映像信号を再生する映像再生手段とを備えた放送受信装置に適用される番組一覧表示方法であって、
前記記録媒体に記録されている映像データのうち、自装置の前記チューナが前記放送信号を受信して得た自装置映像データのみを選択し、
この選択された前記自装置映像データに対応した番組一覧を表示させることを特徴とする番組一覧表示方法。
【発明の詳細な説明】
【技術分野】
【０００１】
本発明は、地上放送、衛星放送等のテレビ放送の受信手段を備えた放送受信装置およびその放送受信装置に適用される番組一覧表示方法に関する。
【背景技術】
【０００２】
従来、地上放送、衛星放送等のテレビ放送の受信手段を備えた放送受信装置は様々なタイプのものが実用化されている。近年の放送受信装置は従来のアナログ放送に加えてデジタル放送の放送波を受信し、受信した放送波から取り出した映像信号を用いて番組の映像を表示するデジタル放送に対応した装置が普及している。
【０００３】
そして、デジタル放送を受信するデジタル放送受信装置では、ハードディスクやＤＶＤ−ＲＡＭ、ＤＶＤ−Ｒ等のディスク状の記録媒体を用いてデータを記録する内蔵または外付けのディスクレコーダ（例えば、ハードディスク装置など）を用いて映像データを記録したり、記録した映像データを用いて映像を再生することも可能となっている。
【０００４】
従来、放送受信装置がハードディスク装置等に記録されている映像データを用いて番組を再生するときは、再生に先立って録画した番組の一覧を表示装置に表示し、ユーザがその中から所望の番組を選べるようにしている。
【０００５】
このような番組一覧の表示に関して、例えば、特許文献１には、次のような映像音声再生装置が開示されている。この映像音声再生装置は、内蔵記録媒体およびネットワーク経由の記録媒体内のコンテンツを一括管理したリストを提供して、コンテンツの存在場所を意識させずにすむようにしている。
【特許文献１】特開２００６−１６６３０３号公報
【発明の開示】
【発明が解決しようとする課題】
【０００６】
しかしながら、従来の放送受信装置は、記録媒体に録画されている番組の番組一覧を表示するときに、自装置で受信した番組と、他の放送受信装置が受信した番組とを区別せずに表示していた。
【０００７】
そうすると、従来の放送受信装置には、記録媒体に録画した番組はその番組の受信に用いた装置でしか再生できないという制約がある（自装置でしか再生できないように暗号化している）ため、他の放送受信装置が受信したために再生できない番組が番組一覧の中に含まれていることがあった。
【０００８】
例えば、第１、第２の放送受信装置に１台の外付けディスクレコーダが接続され、そのディスクレコーダに第１、第２の放送受信装置がそれぞれ受信した番組が録画されている場合、第１、第２の放送受信装置の番組一覧には、第１、第２の放送受信装置がそれぞれ受信した番組が双方とも表示されていた。
【０００９】
このような番組一覧をみても、ユーザには再生できる番組なのか、何か理由があって再生できない番組なのか、それとも本来再生できない番組なのかが区別することができなかったため、ユーザが番組一覧に表示されている番組を再生しようとリモートコントローラなどを操作したときに番組が再生されないことがあり、その場合、別の番組を選び直すなどの操作をやり直さねばならず不便であった。
【００１０】
そこで、本発明は上記課題を解決するためになされたもので、記録媒体に録画した番組を再生する際の利便性を高めた放送受信装置およびそのような利便性を高めることを可能にする番組一覧表示方法を提供することを目的とする。
【課題を解決するための手段】
【００１１】
上記課題を解決するため、本発明は、デジタル放送の放送信号を選択して受信するチューナと、そのチューナが放送信号を受信して得られる映像データを記録媒体に記録させる記録制御手段と、記録媒体に記録されている映像データを用いて映像信号を再生する映像再生手段と、記録媒体に記録されている映像データのうち、自装置のチューナが放送信号を受信して得た自装置映像データのみを選択する映像データ選択手段と、その映像データ選択手段により選択された自装置映像データに対応した番組一覧を表示させる表示制御手段とを有する放送受信装置を特徴とする。
【００１２】
また、本発明は、デジタル放送の放送信号を選択して受信するチューナと、そのチューナが放送信号を受信して得られる映像データを記録媒体に記録させる記録制御手段と、記録媒体に記録されている映像データを用いて映像信号を再生する映像再生手段とを備えた放送受信装置に適用される番組一覧表示方法であって、記録媒体に記録されている映像データのうち、自装置のチューナが放送信号を受信して得た自装置映像データのみを選択し、この選択された自装置映像データに対応した番組一覧を表示させる番組一覧表示方法を提供する。
【発明の効果】
【００１３】
以上詳述したように、本発明によれば、記録媒体に録画した番組を再生する際の利便性を高めた放送受信装置およびそのような利便性を高めることを可能にする番組一覧表示方法が得られる。
【発明を実施するための最良の形態】
【００１４】
以下、本発明の実施の形態について説明する。なお、同一要素には同一符号を用い、重複する説明は省略する。
【００１５】
図１は、本発明の実施の形態に係るデジタル放送受信装置１１，９１と、これらに接続されるディスクレコーダとしてのハードディスク装置（ＨＤＤ：Hard  Disk  Drive）２５とを示す図である。
【００１６】
デジタル放送受信装置１１，９１はそれぞれＨＤＤ２５が接続されているときに、それぞれが放送信号を受信して得られる映像データ（後述するタイトルデータ１００）をＨＤＤ２５に記録して番組の録画を行う。なお、デジタル放送受信装置９１はデジタル放送受信装置１１と同じ構成を有するので、以下の説明は、デジタル放送受信装置１１を中心にして行う。
【００１７】
次に、図２は、デジタル放送受信装置１１と、デジタル放送受信装置１１を中心として構成されるネットワークシステム９０の構成を示すブロック図である。
【００１８】
デジタル放送受信装置１１は図２に示すように、キャビネット１２と、キャビネット１２を起立させて支持する支持台１３とを有している。キャビネット１２は液晶表示パネルを備えた平面パネル型の液晶表示装置１４と、音声を出力する音声出力手段としてのスピーカ１５と、操作部１６とを有し、また、リモートコントローラ１７から送信される操作情報を受ける受光部１８を有している。
【００１９】
デジタル放送受信装置１１は映像を表示する映像表示手段としての液晶表示装置１４によって映像を表示する映像表示装置であって、後述するチューナ４５などが放送信号を受信して得られる映像データまたはＨＤＤ２５から読み取られる映像データを用いて映像を表示する。
【００２０】
デジタル放送受信装置１１は、例えばＳＤ（Secure  Digital）メモリカード、ＵＳＢメモリ等のメモリカード１９（図３参照）が着脱可能となっており、このメモリカード１９を用いて番組や写真等の記録再生が行われるようになっている。
【００２１】
そして、デジタル放送受信装置１１は、ＬＡＮ（Local  Area  Network）端子２１を有している。ＬＡＮ端子２１は、イーサネット（登録商標）を用いた一般的なＬＡＮ対応ポートとして使用される。このＬＡＮ端子２１は、例えばハブ２６を介して、ＬＡＮ対応のＨＤＤ２５が接続される。そのほか、デジタル放送受信装置１１は、図示しないＬＡＮ端子を有し、そのＬＡＮ端子にＰＣ（Ｐｅｒｓｏｎａｌ  Computer）、ＨＤＤ内蔵のＤＶＤ（Digital  Versatile  Disk）レコーダ等の機器が接続され、これらの機器との情報伝送が行われる。
【００２２】
次に、図３を参照してデジタル放送受信装置１１の内部の構成について説明する。図３はデジタル放送受信装置１１の内部の主要な構成を示すブロック図である。
【００２３】
デジタル放送受信装置１１は、入力端子４４，４９、チューナ４５，５０，５２およびＰＳＫ（Phase  Shift  Keying）復調器４６を有している。また、デジタル放送受信装置１１は、信号処理部４７、ＯＦＤＭ（Orthogonal  Frequency  DivisionMultiplexing）復調器５１、アナログ復調器５３、グラフィック処理部５４、音声処理部５５、ＯＳＤ信号生成部５７および映像処理部５８を有している。
【００２４】
入力端子４４には、ＢＳ／ＣＳデジタル放送受信アンテナ４３が捕らえた衛星デジタル放送信号が入力される。衛星デジタル放送信号は入力端子４４からチューナ４５に供給される。チューナ４５は衛星デジタル放送用のチューナであって、供給される衛星デジタル放送信号から所望のチャンネルの放送信号を選択して受信する。
【００２５】
このチューナ４５で選局された放送信号はＰＳＫ復調器４６に供給される。ＰＳＫ復調器４６はデジタルの映像信号及び音声信号の復調処理を行い、信号処理部４７に出力する。
【００２６】
入力端子４９には、地上放送受信アンテナ４８が捕らえた地上デジタル放送信号が入力される。地上デジタル放送信号は入力端子４９からチューナ５０に供給される。チューナ５０は地上デジタル放送用のチューナであって、供給される地上デジタル放送信号から所望のチャンネルの放送信号を選択して受信する。
【００２７】
このチューナ５０で選局された放送信号はＯＦＤＭ復調器５１に供給される。ＯＦＤＭ復調器５１はデジタルの映像信号及び音声信号の復調処理を行い、信号処理部４７に出力する。
【００２８】
また、入力端子４９には、地上放送受信アンテナ４８が捕らえた地上アナログ放送信号が入力される。地上アナログ放送信号は入力端子４９からチューナ５２に供給される。チューナ５２は地上アナログ放送用のチューナであって、供給される地上アナログ放送信号から、所望のチャンネルの放送信号を選択して受信する。
【００２９】
このチューナ５２で選局された放送信号はアナログ復調器５３に供給される。アナログ復調器５３は、アナログの映像信号及び音声信号の復調処理を行い、信号処理部４７に出力する。
【００３０】
信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力する。
【００３１】
また、信号処理部４７には、複数（図示の場合は４つ）の入力端子５６ａ，５６ｂ，５６ｃ，５６ｄが接続されている。これら入力端子５６ａ〜５６ｄは、外部装置としての図示しないＤＶＤレコーダなどから、アナログの映像信号及び音声信号を入力可能とするものである。
【００３２】
そして、この信号処理部４７は、アナログ復調器５３及び各入力端子５６ａ〜５６ｄからそれぞれ供給されたアナログの映像信号及び音声信号を選択的にデジタル化する。また、信号処理部４７は、デジタル化された映像信号及び音声信号に対して所定のデジタル信号処理を施した後、グラフィック処理部５４及び音声処理部５５に出力する。
【００３３】
グラフィック処理部５４は、信号処理部４７から供給されるデジタルの映像信号に、ＯＳＤ（On Screen Display）信号生成部５７で生成されるＯＳＤ信号を重畳して出力する。このグラフィック処理部５４は、信号処理部４７の出力映像信号と、ＯＳＤ信号生成部５７が出力するＯＳＤ信号とを選択的に出力することと、両出力をそれぞれ画面の半分を構成するように組み合わせて出力することとの双方を行える。
【００３４】
グラフィック処理部５４から出力されたデジタルの映像信号は、映像処理部５８に供給される。この映像処理部５８は、入力されたデジタルの映像信号を、液晶表示装置１４で表示可能なフォーマットの映像信号に変換した後、液晶表示装置１４に出力する。液晶表示装置１４は、その映像信号を用いて映像を表示する。これらの信号処理部４７、グラフィック処理部５４および映像処理部５８によって映像信号が再生され、これらが映像再生手段を構成している。なお、映像処理部５８はアナログ映像信号を出力端子５９ａを介して外部に導出する。
【００３５】
音声処理部５５は、入力されるデジタルの音声信号をスピーカ１５で再生可能なフォーマットのアナログ音声信号に変換した後、スピーカ１５に出力する。また、音声処理部５５は、アナログ音声信号を出力端子５９ｂを介して外部に導出する。
【００３６】
そして、デジタル放送受信装置１１は、制御部６０と、カードホルダ６６および各種インターフェース（カードＩ／Ｆ６５，通信Ｉ／Ｆ６８）を有している。
【００３７】
制御部６０はＣＰＵ（Central  Processing  Unit）６１、ＲＯＭ(Read  Only  Memory)６２、ＲＡＭ（Random  Access  Memory）６３および不揮発性メモリ６４を有している。この制御部６０は、放送信号の受信動作を含むデジタル放送受信装置１１の動作を統括的に制御する。また、制御部６０は、操作部１６からの操作情報を受け、または、リモートコントローラ１７から送出された操作情報を受光部１８を介して受信し、その操作内容が反映されるように各部をそれぞれ制御している。
【００３８】
ＣＰＵ６１はＲＯＭ６２に記憶されているプログラムにしたがい各種手段（記録制御手段、表示制御手段、映像データ選択手段）として作動する一方、他の構成要素との信号の入出力を行い、デジタル放送受信装置１１全体の動作制御を行う。
【００３９】
例えば、ＣＰＵ６１は通信Ｉ／Ｆ６８を介して映像データをＨＤＤ２５に出力して、ＨＤＤ２５に記録させる記録制御手段としての動作を行う。また、ＨＤＤ２５から記録されている映像データを読み取り、信号処理部４７、グラフィック処理部５４、映像処理部５８などに指示して映像を再生させる再生制御手段としての動作も行う。
【００４０】
ＲＯＭ６２は、主としてＣＰＵ６１が実行する制御プログラムを格納している。ＲＡＭ６３は、ＣＰＵ６１に作業エリアを提供する。不揮発性メモリ６４は、各種の設定情報及び制御情報等が格納されている。
【００４１】
そして、制御部６０は、カードＩ／Ｆ（Interface）６５を介して、メモリカード１９が装着可能なカードホルダ６６に接続されている。これによって、制御部６０は、カードホルダ６６に装着されたメモリカード１９と、カードＩ／Ｆ６５を介して情報伝送を行える。
【００４２】
また、制御部６０は、通信Ｉ／Ｆ６８を介してＬＡＮ端子２１に接続されている。これにより、制御部６０は、ＬＡＮ端子２１に接続されたＨＤＤ２５などの各装置と、通信Ｉ／Ｆ６８を介して情報伝送を行うことができる。
【００４３】
（動作内容の説明）
次に、以上の構成を有するデジタル放送受信装置１１が実行する番組リスト表示の動作内容について説明する。本実施の形態において、番組リスト表示とは、ＨＤＤ２５に記録されている映像データを用いて再生される番組一覧を液晶表示装置１４に表示させるための動作を意味している。
【００４４】
また、詳しくは後述するが、ＨＤＤ２５にはデジタル放送受信装置１１，９１が双方とも接続され、タイトルデータ１００と、ファイル名リスト１２０と、番組メタデータ１４０が記録されているものとしている（タイトルデータ１００、ファイル名リスト１２０および番組メタデータ１４０については後述する）。
【００４５】
デジタル放送受信装置１１は、図４に示すフローチャートに沿って番組リスト表示を実行する。この場合、デジタル放送受信装置１１は、リモートコントローラ１７を用いてユーザが番組リストの表示要求を行ったときに図４に示すフローチャートに沿って番組リスト表示を実行する。番組リスト表示は図４に示すフローチャートに沿ってＣＰＵ６１が制御している。
【００４６】
ＣＰＵ６１は、番組リストの表示要求が行われたことを検知したときに番組リスト表示を開始し、ＨＤＤ２５から、記録されているファイル名リスト１２０の読み取りを行う（ステップＳ１）。
【００４７】
次に、ＣＰＵ６１はステップＳ２に動作を進め、ＨＤＤ２５からファイル名リスト１２０の読み取りが終了したか否か（ファイル名リスト１２０をすべて読み取ったかどうか）を判定する。ここで、読み取りが終了したときはステップＳ３に動作を進め、そうでなければステップＳ１に戻ってファイル名リスト１２０の読み取りを行う。
【００４８】
続いて、ＣＰＵ６１はステップＳ３に動作を進めて映像データ選択手段としての動作を行い、ステップＳ１で読み取ったファイル名リスト１２０から、自装置のチューナ４５，５０で放送信号を受信して録画された自装置映像データのみを選択するため、自装置で録画した映像データに対応するファイル名リスト１２０（後述するファイル名リスト１２１）を選択する。
【００４９】
ＣＰＵ６１は、続くステップＳ４では、選択したファイル名リスト１２１と一致する番組メタデータ１４０（後述する番組メタデータ１４１）から番組関連情報（録画した日付や録画時間などの情報）を取得する。また、ＣＰＵ６１は、ステップＳ５で番組関連情報の読み取りが終了したか否かを判定し、番組関連情報の読み取りが終了したときはステップＳ６に動作を進め、そうでなければステップＳ４にもどる。
【００５０】
そして、ＣＰＵ６１は、ステップＳ６に動作を進めると、表示制御手段としての動作を行い、ステップＳ３で選択したファイル名リスト１２１およびステップＳ４で取得した番組関連情報を用いて後述する番組リスト２００を液晶表示装置１４に表示させ、その後、番組リスト表示を終了する。
【００５１】
以上のようにして番組リスト表示が行われると、液晶表示装置１４には、図５に示すようにして番組リスト２００が表示される。この番組リスト２００には、ステップＳ３で選択されたファイル名リスト１２１およびステップＳ５で取得した番組関連情報に対応した番組のタイトル明細２０１，２０２，２０３が表示されている。各タイトル明細２０１，２０２，２０３には、録画した番組の略称や日時が含まれている。
【００５２】
デジタル放送受信装置１１では、以上のようにして番組リスト表示を行った際に、自装置で放送信号を受信して得た自装置映像データのみを選択して番組リスト２００を表示させているので、タイトル明細２０１，２０２，２０３はいずれも自装置映像データに対応したものとなっている。
【００５３】
そのため、番組リスト２００をみたユーザは、タイトル明細２０１，２０２，２０３がそれぞれ再生できない番組なのか、再生できる番組なのか戸惑うようなことがなくなる。また、番組リスト２００から再生しようとする番組を選択すると、いずれも再生可能であるから、ユーザは番組を選びなおすといった余計な操作を行わずに済みしたがって録画した番組を再生しようとする際のユーザの利便性を高めることができる。
【００５４】
そして、番組リスト表示は図６に示すフローチャートに沿ってＣＰＵ６１が実行することもできる。
【００５５】
すなわち、ＣＰＵ６１は図４の場合と同様にしてステップＳ１を実行したのちステップＳ１０に動作を進め、読み取ったファイル名リスト１２０と一致する番組メタデータ１４０から番組関連情報を取得する。
【００５６】
続いて、ＣＰＵ６１はステップＳ１１に動作を進めて判定手段としての動作を行い、読み取ったファイル名リスト１２０にしたがい、対応するタイトルデータ１００が自装置映像データであるか否かを判定する。ＣＰＵ６１は自装置映像データであると判定したときはステップＳ１２に動作を進め、そうでなければステップＳ１３に動作を進める。
【００５７】
ステップＳ１２に動作を進めるとＣＰＵ６１はリスト生成手段としての動作を行い、読み取ったファイル名リスト１２０およびＳステップ１０で取得した番組関連情報を用いて自装置用ページの番組リストを生成する。また、ステップＳ１３でもＣＰＵ６１がリスト生成手段としての動作を行い、ファイル名リスト１２０およびステップＳ１０で取得した番組関連情報を用いて他装置用ページの番組リストを生成する。
【００５８】
さらに、ステップＳ１４では、ＨＤＤ２５のファイル名リスト１２０の読み取りが終了したか否かを判定する。ここで、読み取りが終了したときはステップＳ１５に進むが、そうでなければステップＳ１に戻ってファイル名リスト１２０の読み取りを行う。
【００５９】
ＣＰＵ６１はステップＳ１５に動作を進めると表示制御手段としての動作を行い、ステップＳ１２、Ｓ１３で生成した自装置用ページの番組リストおよび／または他装置用ページの番組リストを液晶表示装置１４に表示させ、その後、番組リスト表示を終了する。
【００６０】
以上のようにして番組リスト表示が行われると、液晶表示装置１４には、自装置用ページの番組リストとして、図７（ａ）に示す前述と同様の番組リスト２００が表示され、他装置用ページの番組リストとして、図７（ｂ）に示す番組リスト２５０が表示される。
【００６１】
番組リスト２００は、前述の場合同様に自装置映像データに対応した番組のタイトル明細２０１，２０２，２０３のみが表示されているが、番組リスト２５０は、自装置映像データ以外のタイトルデータに対応した番組のタイトル明細２５１が表示されている。
【００６２】
このように、デジタル放送受信装置１１では、ファイル名リスト１２０が自装置映像データに対応するファイル名リスト１２１とそれ以外のファイル名リスト１２２とに区別され、そのそれぞれに応じた番組リスト２００、番組リスト２５０が別ページに明確に区別して表示される。番組リスト２５０には、「番組リスト（他機録画）」と表示され、自装置とは別の装置で録画したことが明示されている。
【００６３】
そのため、番組リスト２００，２５０をみたユーザは、タイトル明細２０１，２０２，２０３，２５１が再生できない番組なのか、それとも再生できる番組なのか戸惑うようなことがなくなる。ユーザが再生しようとする番組を番組リスト２００から選択したときはいずれの番組も再生可能であり、ユーザが余計な操作を行わずに済むようになるから、録画した番組を再生しようとする際のユーザの利便性を高めることができる。
【００６４】
さらに、番組リスト表示は図８に示すフローチャートに沿ってＣＰＵ６１が実行することもできる。
【００６５】
すなわち、ＣＰＵ６１は図６の場合と同様にしてステップＳ１、Ｓ１０を実行したのち、ステップＳ１１に動作を進めて判定手段としての動作を行う。この場合、ＣＰＵ６１は読み取ったファイル名リスト１２０にしたがい、対応するタイトルデータ１００が自装置映像データであるか否かを判定する。ＣＰＵ６１は自装置映像データであると判定したときはステップＳ２１に動作を進め、そうでなければステップＳ２２に動作を進める。
【００６６】
ＣＰＵ６１はステップＳ２１に動作を進めると、自装置か他装置かを示す自他フラグに自装置であることを示すデータ（例えば“１”）をセットし、ステップＳ２２に動作を進めると自他フラグに他装置であることを示すデータ（例えば“９”）をセットする。
【００６７】
次に、ＣＰＵ６１はステップＳ２３に動作を進めてリスト生成手段としての動作を行い、自他フラグに応じて表示トーンを変更して後述する番組リスト３００を生成する。この場合、自他フラグが“１”の場合は通常トーン、自他フラグが“９”の場合は低トーンで各タイトル明細を生成する。
【００６８】
その後、ＣＰＵ６１は図６の場合におけるステップＳ１４と同様にしてステップＳ２４を実行し、ファイル名リスト１２０の読み取りが終了したときはステップＳ２５に進むが、そうでなければステップＳ１に戻ってファイル名リスト１２０の読み取りを行う。
【００６９】
ＣＰＵ６１はステップＳ２５に動作を進めると表示制御手段としての動作を行い、ステップＳ２３で生成した番組リスト３００を液晶表示装置１４に表示させ、その後、番組リスト表示を終了する。
【００７０】
このようにすると液晶表示装置１４には、例えば、図９に示すようにして、番組リスト３００が表示される。この番組リスト３００は自装置映像データに対応したタイトル明細２０１，２０２，２０３とともに、それ以外のタイトルデータに対応したタイトル明細２５１も表示されている。
【００７１】
ただし、タイトル明細２５１はタイトル明細２０１，２０２，２０３よりも表示トーンを下げて表示されている。図９では、これをタイトル明細２５１に網掛けして示している。
【００７２】
このような番組リスト３００をみたユーザは、表示トーンの違いによってタイトル明細２０１，２０２，２０３と、タイトル明細２５１とを明確に区別することができるので、各タイトル明細２０１，２０２，２０３，２５１が再生できない番組なのか、再生できる番組なのか戸惑うようなことがなくなる。
【００７３】
ユーザがタイトル明細２０１，２０２，２０３から再生しようとする番組を選択すると、番組も再生可能であり、ユーザが余計な操作を行わずに済むようになるから、録画した番組を再生しようとする際のユーザの利便性を高めることができる
【００７４】
なお、ステップＳ２３では、ＣＰＵ６１が自他フラグに応じて表示トーンを変更して番組リスト３００を生成しているが、表示トーンを変更するかわりに表示色を変更してもよい。また、自他フラグが“９”の場合にだけ、他装置であることを示す記号（例えば、＊＊）をタイトル明細に表示してもよい。
【００７５】
そして、タイトルデータ１００は、図１０（ａ）に示すように、コンテンツコード１０１と、映像を再生するためのコンテンツデータ１０２とを有し、録画した番組ごとのファイルとして構成されている。
【００７６】
コンテンツコード１０１には、コンテンツデータ１０２を特定するためのコード情報が記録されている。
【００７７】
また、ファイル名リスト１２０は、タイトルデータ１００に対応して生成されており、図１０（ｂ）に示すように、コンテンツコード１１１と、機器ＩＤ１１２と、ファイル名１１３とを有している。
【００７８】
図１０（ｂ）では、ファイル名リスト１２０として、機器ＩＤ１１２が“０００００１１”のファイル名リスト１２１が３件と、機器ＩＤ１１２が“０００００９１”のファイル名リスト１２２が１件の合計４件示されている。
【００７９】
機器ＩＤ１１２には、録画した番組を受信した放送受信装置の識別コードが記録され、ファイル名１１３には、対応するタイトルデータ１００の番組名が記録されている。
【００８０】
また、図１１には、番組メタデータ１４０が示されている。番組メタデータ１４０は、識別コードおよび機器ＩＤとともに、録画した日付や録画時間といった番組関連情報などを有している。
【００８１】
そして、図１１には、４件の番組メタデータ１４０が示されている。このうち３件の番組メタデータ１４１はデジタル放送受信装置１１が番組を受信して得られたデータ、１件の番組メタデータ１４２はデジタル放送受信装置９１が番組を受信して得られたデータである。
【００８２】
番組メタデータ１４１では、機器ＩＤにデジタル放送受信装置１１であることを示す“０００００１１”がセットされ、番組メタデータ１４２では、機器ＩＤにデジタル放送受信装置９１であることを示す“０００００９１”がセットされている。
【００８３】
また、タイトルデータ１００は、図１０（ｃ）に示す付属データとしてのメタデータ１５０が付随した構成にすることもできる。メタデータ１５０は、メタデータファイル名１５１と、メタデータ１５２とを有している。メタデータファイル名１５１には、番組メタデータ１４０とほぼ同じデータが記憶され、メタデータ１５２には、図１２に示す複数項目のデータ（例えば、個別コンテンツＩＤ、機器ＩＤ、チャンネル番号など）が含まれている。
【００８４】
以上のとおり、デジタル放送受信装置１１はタイトルデータ１００をＨＤＤ２５に記録するときに記録制御手段としての動作を行い、自装置のチューナが放送信号を受信したのかそれとも他装置のチューナが放送信号を受信したのかを識別する識別コードとしての機器ＩＤ１１２をファイル名リスト１２０に記録している。
【００８５】
そのため、ＣＰＵ６１はステップＳ３を実行するときは、ファイル名リスト１２０の機器ＩＤ１１２を参照して、機器ＩＤ１１２が“０００００１１”になっているファイル名リスト１２１だけを選択することができる。
【００８６】
そうすると、番組を受信したデジタル放送受信装置がデジタル放送受信装置１１のファイル名リスト１２１だけが選択されるので、この選択したファイル名リスト１２１のコンテンツコード１１１を参照して、自装置で番組を受信し、映像を再生可能なタイトルデータ１００だけを選択することができる。
【００８７】
また、ＣＰＵ６１はステップＳ１１を実行するときは、同じく機器ＩＤ１１２を参照して、機器ＩＤ１１２が“０００００１１”になっているときはステップＳ１２に動作を進め、機器ＩＤ１１２が“０００００９１”になっているときはステップＳ１３に動作を進めるようにすることができる。
【００８８】
さらに、ステップＳ３、Ｓ１１のいずれの場合も、メタデータファイル名１５１を参照しても、上記同様にして動作を実行できる。
【００８９】
また、デジタル放送受信装置１１は、一旦タイトルデータ１００を再生してタイトルデータ１００が再生可能などうかを調べ、その結果を示す再生可否データをメタデータファイル名１５１にセットすることができる。そうすると、ステップＳ１０での判定の際にその再生可否データを用いることができる。
【００９０】
なお、デジタル放送受信装置１１は、自装置で録画したタイトルデータであるかどうかを判定するために、メタデータファイル名１５１の中に録画時に記録した機器ＩＤを用いることもできる。
【００９１】
上記の実施形態では、放送受信装置として液晶表示装置１４を備えたテレビジョン受信装置としてのデジタル放送受信装置１１を例にとって説明しているが、本実施の形態は、ＤＶＤプレーヤやＤＶＤレコーダといったチューナを備え映像データの記録や再生を行える放送受信装置にも適用することもできる。
【００９２】
また、デジタル放送受信装置１１にディスクレコーダとしてＨＤＤが接続される場合を例にとって説明しているが、本発明は、ＤＶＤ−Ｒ、ＤＶＤ−ＲＡＭなどの光ディスクを用いるディスクレコーダが接続される場合についても適用することができる。
【００９３】
記録媒体の例として、ディスクレコーダとしてのＨＤＤに備えられているハードディスクを例にとって説明しているが、本実施の形態はＳＤメモリカードのような記録媒体を用いて録画する場合についても適用することができる。
【００９４】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００９５】
【図１】本発明の実施の形態に係る２つのデジタル放送受信装置と、これらに接続されるディスクレコーダとしてのＨＤＤとを示す図である。
【図２】ネットワークシステムの構成を示すブロック図である。
【図３】デジタル放送受信装置の内部の主要な構成を示すブロック図である。
【図４】番組リスト表示の動作手順を示すフローチャートである。
【図５】番組リストの一例を示す図である。
【図６】番組リスト表示の別の動作手順を示すフローチャートである。
【図７】番組リストの他例を示す図で、（ａ）は再生可能な番組の番組リスト、（ｂ）は再生不能な番組の番組リストを示す図である。
【図８】番組リスト表示のさらに別の動作手順を示すフローチャートである。
【図９】図５、図７とは別の番組リストを示す図である。
【図１０】データレイアウトの一例を示す図で、（ａ）はタイトルデータ、（ｂ）はファイル名リスト、（ｃ）はメタデータを示す図である。
【図１１】番組メタデータの一例を示す図である。
【図１２】メタデータの一部の例を示す図である。
【符号の説明】
【００９６】
１１，１０１…デジタル放送受信装置、２１…第１のＬＡＮ端子、２５…ＨＤＤ、６０…制御部、６１…ＣＰＵ、１００…タイトルデータ、１２０，１２１，１２２…ファイル名リスト、２００，２５０，３００…番組リスト。
【図１】
2009060257.tif 000003
【図２】
2009060257.tif 000004
【図３】
2009060257.tif 000005
【図４】
2009060257.tif 000006
【図５】
2009060257.tif 000007
【図６】
2009060257.tif 000008
【図７】
2009060257.tif 000009
【図８】
2009060257.tif 000010
【図９】
2009060257.tif 000011
【図１０】
2009060257.tif 000012
【図１１】
2009060257.tif 000013
【図１２】
2009060257.tif 000014